(57)【要約】【課題】ハンドル自身を軽量化し、かつ、釣り人の好みに合わせ簡易に取り換えることのできる魚釣り用リールのハンドルを提供する。【解決手段】ハンドルアーム支軸に対して着脱可能なハンドルであって、ハンドルアーム支軸を接合するハンドルアーム支軸接合軸部１０１、右側ハンドル２０を結合する右側ハンドル結合軸部１０２及び中間ハンドル蓋部１０３などで構成する左側ハンドル１０と、前記左側ハンドル１０に螺合する雄ネジ軸部２０２などで構成する右側ハンドル２０と、前記左側ハンドル１０と前記右側ハンドル２０との間に挟まれて設置する内部が中空でかつ両端が開口し曲面形状である中間ハンドル３０とからなる組立てハンドル１を提供する。【選択図】図２
0003164243.tif 000002
【実用新案登録請求の範囲】
【請求項１】
魚釣り用リールに装着されたハンドルアームの端部に固定されたハンドルアーム支軸に対して着脱可能なハンドルであって、
ハンドルアーム支軸側に配置し、軸内部を貫通した中空領域を有する第一ハンドル（１０）と、
ハンドルアーム支軸の反対側に配置し、当該第一ハンドルの一端に螺入する雄ネジ軸部（２０２）を有する第二ハンドル（２０）と、
当該第一ハンドルと当該第二ハンドルとの間に配置し、内部が中空でかつ両端が開口している第三ハンドル（３０）と、
からなり、
前記第一ハンドルが、少なくともハンドルアーム支軸と接合する軸端部であるハンドルアーム支軸接合軸部（１０１）と、前記雄ネジ軸部（２０２）と螺合により結合する軸端部である第二ハンドル結合軸部（１０２）と、前記中間ハンドル開口端内径よりも大きい径を有する中間ハンドル蓋部（１０３）とを有し、
かつ、前記第二ハンドルが、少なくとも前記第三ハンドルの開口端内径よりも大きい径を有する第二ハンドル基体（２０１）を有する、
魚釣り用リールの組立てハンドル
【請求項２】
前記第三ハンドル（３０）の外部形状が、曲面形状である請求項１の魚釣り用リールの組立てハンドル
【考案の詳細な説明】
【技術分野】
【０００１】
本考案は、魚釣り用リールの組立てハンドルに関するものである。
【背景技術】
【０００２】
釣り人は、釣り対象、釣り場所、天候など様々な状況に応じて魚釣り用の道具を選別する場合が多い。
【０００３】
魚釣り用のリールのハンドルは、釣り人が直接操作を行う部分であるため、重量、形状など多様な好みが存在するものと考えられる。
【０００４】
現に、魚釣り用リールのハンドル自身の重量に関し、魚釣り用リールのハンドル自身の軽量化のために肉抜き部を形成して握部の軽量化を図った発明が存在する（特許文献１）。
【０００５】
また、魚釣り用リールのハンドルは、ハンドル自身の重量などの機能面だけでなく、釣り人の好みつまり嗜好面（色、デザインなど）においての要望も良く耳にする。
【先行技術文献】
【特許文献】
【０００６】
【特許文献１】特開２００４−２３６５４１号公報
【考案の概要】
【考案が解決しようとする課題】
【０００７】
上述のように、魚釣り用リールのハンドルの機能面で望まれる軽量化を実現しつつ、釣り人の好みつまり嗜好面をも対応するハンドルを提供することが、本願考案が解決しようとする課題である。  
【課題を解決するための手段】
【０００８】
本願考案は、上述の課題を解決するために、魚釣り用リールに装着されたハンドルアームの端部に固定されたハンドルアーム支軸に対して着脱可能なハンドルであって、ハンドルアーム支軸側に配置し、軸内部を貫通した中空領域を有する第一ハンドルと、前記ハンドルアーム支軸の反対側に配置し、当該第一ハンドルの一端に螺入する雄ネジ軸部を有する第二ハンドルと、当該第一ハンドルと当該第二ハンドルとの間に配置し、内部が中空でかつ両端が開口している第三ハンドルとからなり、前記第一ハンドルが、少なくともハンドルアーム支軸と接合する軸端部であるハンドルアーム支軸接合軸部と、前記雄ネジ軸部と螺合により結合する軸端部である第二ハンドル結合軸部と、前記中間ハンドル開口端内径よりも大きい径を有する中間ハンドル蓋部とを有し、かつ、前記第二ハンドルが、少なくとも前記第三ハンドルの開口端内径よりも大きい径を有する第二ハンドル基体を有する魚釣り用リールの組立てハンドルを提供する。
【０００９】
また、本願考案は、上述の課題を解決するために、魚釣り用リールに装着されたハンドルアームの端部に固定されたハンドルアーム支軸に対して着脱可能なハンドルであって、ハンドルアーム支軸側に配置し、軸内部を貫通した中空領域を有する第一ハンドルと、前記ハンドルアーム支軸の反対側に配置し、当該第一ハンドルの一端に螺入する雄ネジ軸部を有する第二ハンドルと、当該第一ハンドルと当該第二ハンドルとの間に配置し、内部が中空でかつ両端が開口し、曲面形状である第三ハンドルとからなり、前記第一ハンドルが、少なくともハンドルアーム支軸と接合する軸端部であるハンドルアーム支軸接合軸部と、前記雄ネジ軸部と螺合により結合する軸端部である第二ハンドル結合軸部と、前記中間ハンドル開口端内径よりも大きい径を有する中間ハンドル蓋部とを有し、かつ、前記第二ハンドルが、少なくとも前記第三ハンドルの開口端内径よりも大きい径を有する第二ハンドル基体を有する魚釣り用リールの組立てハンドルを提供する。
【考案の効果】
【００１０】
本願考案の魚釣り用リールの組立てハンドルを使用することにより、軽量で、かつ、釣り人の嗜好性に合わせたハンドル選択（重量、形状、色、デザインなど）が実現される。
【００１１】
また、本願考案の魚釣り用リールのハンドルを使用することにより、軽量で、かつ、いかなる方向及び角度からでも握る（摘む）ことができる操作性に優れ、さらに釣り人の嗜好性に合わせたハンドル選択（重量、形状、色、デザインなど）が実現される。
【図面の簡単な説明】
【００１２】
【図１】図１は、組立てハンドルの全体図である（実施例１）。
【図２】図２は、組立てハンドルの分離状態を示した図である（実施例１）。
【図３】図３は、右側（第二）ハンドルを示した図である。
【図４】図４は、組立てハンドル全体の切断断面図である（実施例１）。
【図５】図５は、中間（第三）ハンドルを示した図である。
【図６】図６は、組立てハンドルの全体図である（実施例２）。
【図７】図７は、組立てハンドルの分離状態を示した図である（実施例２）。
【考案を実施するための形態】
【００１３】
釣り人の好みに適合した組立てハンドルの全部又は一部を、様々な状況に応じて選択し着脱して使用する。
【実施例１】
【００１４】
実施例１の魚釣り用リールの組立てハンドルの構成を、図１から図４に従い、説明する。
【００１５】
魚釣り用リールの組立てハンドル（１）は、ハンドルアーム支軸（図示せず）側に配置する左側ハンドル（１０）と、前記ハンドルアーム支軸の反対側に配置する右側ハンドル（２０）と、前記左側ハンドル（１０）と前記右側ハンドル（２０）との間に配置する中間ハンドル（３０）とで構成する。
【００１６】
前記左側ハンドル（１０）は、左端側に位置し、軸内部を貫通した中空領域を有するハンドルアーム支軸接合軸部（１０１）と、右端側に位置し、所定の雌ネジ部を有する右側ハンドル結合軸部（１０２）と、前記ハンドルアーム支軸接合軸部（１０１）と右側ハンドル結合軸部（１０２）との間に位置し、前記中間ハンドル（３０）の図示左端側開口外径と略同径である中間ハンドル蓋部（１０３）と、前記中間ハンドル（３０）の図示右端側開口内径と略同径である左側ハンドル端部円形ガイド（１０４）とからなる。
【００１７】
前記右側ハンドル（２０）は、右端側に位置し、前記中間ハンドル（３０）の図示右端側開口内径よりも大きい径で、外表面に凹み溝（２０１ｄ）を有する右側ハンドル基体（２０１）と、左端側に位置し、前記左側ハンドル（１０）を構成する右側ハンドル結合軸部（１０２）に螺入することにより結合する雄ネジ軸部（２０２）と、前記雄ネジ軸部（２０２）の根元に配置し、前記左側ハンドル（１０）の貫通した中空領域に水などが浸入することを防止する左側ハンドル中空領域防水ゴム（２０３）とからなる。
【００１８】
前記中間ハンドル（３０）は、内部が中空でかつ両端が開口し曲面形状である中間ハンドル基体（３０１）と、前記中間ハンドル基体（３０１）を貫通する中間ハンドル貫通孔（３０１ｈ）とからなる。
【００１９】
なお、前記ハンドルアーム支軸接合軸部（１０１）の中空領域内径は、ハンドルアーム支軸の外径寸法に対応し適宜設計変更し得る。
【００２０】
なお、前記右側ハンドル結合軸部（１０２）の雌ネジ部の寸法は、前記雄ネジ軸部（２０２）と対応した寸法である。
【００２１】
なお、前記中間ハンドル蓋部（１０３）の外径は、前記中間ハンドル（３０）の図示左端側開口外径と略同径であるが、前記中間ハンドル（３０）の図示左端側開口内径よりも大きければ良い。
【００２２】
なお、前記左側ハンドル端部円形ガイド（１０４）の直径は、前記中間ハンドル（３０）の図示右端側開口内径と略同径であるが、前記中間ハンドル（３０）の図示右端側開口内径よりも小さければ良い。
【００２３】
なお、前記右側ハンドル基体（２０１）の外径は、前記中間ハンドル（３０）の図示右端側開口外径と略同径であるが、前記中間ハンドル（３０）の図示右端側開口内径よりも大きければ良い。
【００２４】
なお、前記凹み溝（２０１ｄ）の溝形状は、溝巾１．５ｍｍ、溝長さ１３．８ｍｍの直線溝であり溝深さは１０円硬貨が挿入できる程度であるが、これに限定されず、適当な硬貨が挿入できる程度の溝巾及び溝深さであれば良い。
【００２５】
なお、前記凹み溝（２０１ｄ）の位置は、右側ハンドル基体（２０１）の中心点を通り左右対称に設けられているが、これに限定されず、右側ハンドル基体（２０１）の中央付近であれば良い。
【００２６】
なお、前記中間ハンドル基体（３０１）の内部構造は、組立てハンドル（１）の軽量化を図るために中空にしている。
【００２７】
なお、前記中間ハンドル基体（３０１）の外部形状は、釣り人がいかなる方向からでも握る（摘む）ことが出来るようになめらかな曲面形状にしている。
【００２８】
なお、前記中間ハンドル貫通孔（３０１ｈ）の役割は、前記中間ハンドル（３０１）自体の軽量化のため又は釣り人にグリップ触感を向上させるためである。
【００２９】
前記中間ハンドル貫通孔（３０１ｈ）の位置、個数及び形状は、端部に多数の円形孔であるが、これに限定されず、軽量化に寄与する又は釣り人にグリップ触感を向上させるものであれば良い（例えば、図５など）。
【００３０】
次に、魚釣り用リールの組立てハンドルのハンドルアーム支軸への取付け及び組立て動作について図１から図５に従い、説明する。
【００３１】
ハンドルアーム支軸接合軸部（１０１）の図示左端側からハンドルアーム支軸を挿入し固着する。
【００３２】
左側ハンドル端部円形ガイド（１０４）側から中間ハンドル（３０）を挿入し、中間ハンドル蓋部（１０３）の位置まで移動する。
【００３３】
前記中間ハンドル蓋部（１０３）の位置まで前記中間ハンドル（３０）を挿入移動したら、前記右側ハンドル結合軸部（１０２）の雌ネジ部に雄ネジ軸部（２０２）を螺入し、右側ハンドル基体（２０１）上の凹み溝（２０１ｄ）に、１０円硬貨などを挿入し時計回りに回転させる（つまり、左側ハンドル（１０）と右側ハンドル（２０）との間に中間ハンドル（３０）を挟んだ状態で左側ハンドル（１０）と右側ハンドル（２０）とを結合する）。
【００３４】
前記左側ハンドル（１０）と前記右側ハンドル（２０）との結合により、組立てハンドル（１）の組立てが完了する。
【００３５】
次に、組立てハンドルを構成する中間ハンドルのみを交換する場合の動作について図２、図４及び図５に従い、説明する。
【００３６】
右側ハンドル基体（２０１）上の凹み溝（２０１ｄ）に、１０円硬貨などを挿入し反時計回りに回転させる。
【００３７】
左側ハンドル（１０）と右側ハンドル（２０）との結合が外れたら、当該左側ハンドル（１０）から前記右側ハンドル（２０）及び中間ハンドル（３０）を取外す。
【００３８】
交換用の中間ハンドル（３０）（例えば、図５）を左側ハンドル端部円形ガイド（１０４）側から挿入し、中間ハンドル蓋部（１０３）の位置まで移動する。
【００３９】
前記中間ハンドル蓋部（１０３）の位置まで前記交換用の中間ハンドル（３０）を挿入移動したら、前記右側ハンドル結合軸部（１０２）の雌ネジ部に雄ネジ軸部（２０２）を螺入し、右側ハンドル基体（２０１）上の凹み溝（２０１ｄ）に、１０円硬貨などを挿入し時計回りに回転させる（つまり、左側ハンドル（１０）と右側ハンドル（２０）との間に中間ハンドル（３０）を挟んだ状態で左側ハンドル（１０）と右側ハンドル（２０）とを結合する）。
【００４０】
前記左側ハンドル（１０）と前記右側ハンドル（２０）との結合により、中間ハンドルのみの交換が完了する。
【００４１】
なお、前記交換用の中間ハンドル（３０）は、中間ハンドル貫通孔（３０１ｈ）の形状だけでなく、中間ハンドル基体（３０１）の色彩、模様の異なる中間ハンドル（３０）はもとより、中間ハンドル基体（３０１）の形状が異なる中間ハンドルであっても開口端径が適合するものであれば交換することができる。
【実施例２】
【００４２】
実施例２の組立てハンドルは、実施例１よりも小型の組立てハンドルである。図６及び図７に従い、実施例１との変更点のみを説明する。
【００４３】
魚釣り用リールの組立てハンドル（１）は、ハンドルアーム支軸（図示せず）側に配置する左側ハンドル（１０）と、前記ハンドルアーム支軸の反対側に配置する右側ハンドル（２０）と、前記左側ハンドル（１０）と前記右側ハンドル（２０）との間に配置する中間ハンドル（３０）とで構成する。
【００４４】
前記左側ハンドル（１０）は、左端側に位置し、軸内部を貫通した中空領域を有するハンドルアーム支軸接合軸部（１０１）と、右端側に位置し、所定の雌ネジ部を有する右側ハンドル結合軸部（１０２）と、前記ハンドルアーム支軸接合軸部（１０１）と右側ハンドル結合軸部（１０２）との間に位置し、前記中間ハンドル（３０）の図示左端側開口外径と略同径である中間ハンドル蓋部（１０３）とからなる。
【００４５】
動作については、実施例１と同様であるので、省略する。
【産業上の利用可能性】
【００４６】
本願考案の魚釣り用リールの組立てハンドルは、簡易な構造でありながら利便性、保守性及び操作性が飛躍的に向上するので産業上の利用性を有する。
【符号の説明】
【００４７】
１        魚釣り用リールの組立てハンドル
１０      左側ハンドル（第一ハンドル）
１０１    ハンドルアーム支軸接合軸部
１０２    右側ハンドル結合軸部（第二ハンドル結合軸部）
１０３    中間ハンドル蓋部
１０４    左側ハンドル端部円形ガイド
２０      右側ハンドル（第二ハンドル）
２０１    右側ハンドル基体（第二ハンドル基体）
２０１ｄ  凹み溝
２０２    雄ネジ軸部
２０３    左側ハンドル中空領域防水ゴム
３０      中間ハンドル（第三ハンドル）
３０１    中間ハンドル基体
３０１ｈ  中間ハンドル貫通孔
【図１】
0003164243.tif 000003
【図２】
0003164243.tif 000004
【図３】
0003164243.tif 000005
【図４】
0003164243.tif 000006
【図５】
0003164243.tif 000007
【図６】
0003164243.tif 000008
【図７】
0003164243.tif 000009